Podtech/llm-jp-corpus-v4-ja_patent huggingface dataset:
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
樹脂と、修飾されたナノ粒子とを含んでいる膜形成組成物であって、該修飾されたナノ粒子が、平均直径１〜４００ナノメートルを有するナノ粒子と、該ナノ粒子上に吸着されたセグメント化コポリマー、好ましくはセグメント化ブロックコポリマーを含んでおり、該セグメント化コポリマー、好ましくはセグメント化ブロックコポリマーが、吸着セグメントと疎水性表面活性セグメントとを含んでいる膜形成組成物において、該吸着セグメントが、ナノ粒子上に吸着する１以上の官能基を有し、かつ、該疎水性セグメントが該樹脂よりも疎水性であることによってナノ粒子の表面移行をもたらす、上記の膜形成組成物。
【請求項２】
ブロックコポリマーがＧＰＣによって測定された重量平均分子量１０００〜１００００ｇ／モル、好ましくは２０００〜５０００ｇ／モルを有する、請求項１に従う膜形成組成物。
【請求項３】
ナノ粒子が、可視光中で目に見えないものであり、かつ該組成物が、顔料を本質的に含んでいない、ならびに好ましくはオリゴまたはポリジメチルシロキサンおよびオリゴまたはポリフルオル化合物を本質的に含んでいないクリアコーティング組成物である、請求項１または２に従う膜形成組成物。
【請求項４】
ナノ粒子が、コーティングに引っかき抵抗を備える無機ナノ粒子である、請求項１〜３のいずれか１項に従う膜形成組成物。
【請求項５】
修飾されたナノ粒子がコロイドシリカナノ粒子であり、かつセグメント化コポリマーが１以上の塩基性官能基、好ましくは三級アミノ基を吸着セグメント中に含んでいる、請求項１〜４のいずれか１項に従う膜形成組成物。
【請求項６】
ナノ粒子上のセグメント化コポリマーの量が、ナノ粒子の合計固形分重量に対して最大で１００重量％、好ましくは１０〜５０重量％である、請求項１〜５のいずれか１項に従う膜形成組成物。
【請求項７】
樹脂が、好ましくは架橋性の、アクリル樹脂および／またはポリエステル樹脂ならびに修飾されたナノ粒子を含んでおり、セグメント化ブロックコポリマー上の疎水性セグメントが、疎水性セグメントの重量当たり（メタ）アクリル酸のＣ４〜Ｃ２３アルキルエステル２０重量％〜９０重量％、好ましくは（メタ）アクリル酸のＣ６〜Ｃ２３アルキルエステル１０重量％〜６０重量％、好ましくは２−エチルヘキシルメタクリレートおよび／またはラウリルメタクリレート１０〜６０重量％を含んでいる、請求項１〜６のいずれか１項に従う膜形成組成物。
【請求項８】
セグメント化コポリマーが、段階Ａ：ラジカル重合開始剤を任意的に使用して、少なくとも１のエチレン性不飽和モノマーを、触媒的連鎖移動剤のような金属錯体、または付加開裂型連鎖移動剤、好ましくはアルファメチルスチレン二量体の存在下において、または高温度条件において精密重合して、表面活性疎水性セグメントマクロモノマーを形成する段階、および段階Ｂ当該マクロモノマーを、官能基を有する少なくとも１の共重合性不飽和モノマーを含んでいるモノマー混合物中において共重合して、吸着セグメントを形成する段階、を含む方法によって製造されたものである、請求項１〜７のいずれか１項に従う膜形成組成物。
【請求項９】
非晶質シリカナノ粒子の上に吸着されたセグメント化コポリマー、好ましくはブロックコポリマーを有する非晶質シリカナノ粒子を含んでいる修飾されたナノ粒子であって、該セグメント化コポリマー、好ましくはブロックコポリマーが吸着セグメントおよび疎水性表面活性セグメントを含んでいる修飾されたナノ粒子において、該吸着セグメントが１以上の塩基性官能基、好ましくは三級アミノ基を有する、上記の修飾されたナノ粒子。
【請求項１０】
修飾されたナノ粒子の上に吸着されたセグメント化コポリマー、好ましくはブロックコポリマーを有する修飾されたナノ粒子であって、該セグメント化コポリマー、好ましくはブロックコポリマーが吸着セグメントおよび疎水性表面活性セグメントを含んでいる修飾されたナノ粒子において、該吸着セグメントが、該ナノ粒子上に吸着する１以上の官能基を有し、ナノ粒子上のコポリマーの量がナノ粒子の合計固形分重量に対して最大で１００重量％、好ましくは７０重量％未満、最も好ましくは１０〜５０重量％である、上記の修飾されたナノ粒子。
【請求項１１】
ナノ粒子が非晶質シリカナノ粒子であり、セグメント化コポリマーが、表面活性疎水性セグメントを形成する疎水性マクロモノマーブロック、および吸着セグメントを形成する、１以上の塩基性官能基、好ましくは三級アミノ基を有するブロック、を製造する精密ラジカル重合によって製造されたＡ−Ｂ型ブロックコポリマーである、請求項１０に従う修飾されたナノ粒子。
【請求項１２】
セグメント化コポリマーが架橋性基を含んでいる、請求項９〜１１に従う修飾されたナノ粒子。
【請求項１３】
請求項１〜８のいずれか１項に従う膜形成組成物または請求項９〜１２のいずれか１項に従う修飾されたナノ粒子を含んでいる、引っかき抵抗性のコーティング、好ましくはクリアコーティングであって、修飾されたナノ粒子がコーティングの表面において多く存在する、引っかき抵抗性のコーティング、好ましくはクリアコーティング。
【請求項１４】
樹脂およびナノ粒子を含んでいる膜形成組成物中のナノ粒子の表面移行を改良するためにセグメント化コポリマーを使用する方法であって、該セグメント化コポリマーが吸着セグメントおよび疎水性表面活性セグメントを含んでいる方法において、該吸着セグメントが、ナノ粒子上に吸着する１以上の官能基を有し、かつ該疎水性セグメントが樹脂よりも疎水性である、上記の方法。
【請求項１５】
樹脂を含んでいるコーティングに引っかき抵抗を備えるために、修飾されたナノ粒子、好ましくは請求項９〜１２のいずれか１項に従う修飾されたナノ粒子を使用する方法であって、該修飾されたナノ粒子が、ナノ粒子の上に吸着された、吸着セグメントおよび疎水性表面活性セグメントを含んでいるセグメント化コポリマーを有するところのナノ粒子を含んでおり、該吸着セグメントが、ナノ粒子上に吸着する１以上の官能基を有し、かつ該疎水性セグメントが樹脂よりも疎水性である、方法。
【手続補正２】
【補正対象書類名】明細書
【補正対象項目名】０１２０
【補正方法】変更
【補正の内容】
【０１２０】
調製物ＡＡ１〜ＡＡ５の修飾されたナノシリカがＳｅｔａｌｕｘ  １７６０  １Ｋ樹脂中に配合され、実施例４におけるのと同じように試験された。組成、クロックメータの結果およびさらに洗車試験の結果が表１０および１１に提示されている。洗車試験は、上記のＲｅｎａｕｌｔ法に従って実施された。
【表１０】
2010514874.tif 000001
【表１１】
2010514874.tif 000002
【手続補正書】
【提出日】平成22年12月15日(2010.12.15)
【手続補正１】
【補正対象書類名】特許請求の範囲
【補正対象項目名】全文
【補正方法】変更
【補正の内容】
【特許請求の範囲】
【請求項１】
カルボジイミド縮合化学を用いて糖類をタンパク質担体にコンジュゲートさせて、糖類-タンパク質コンジュゲートを作製するコンジュゲーション工程を含む免疫原性組成物を作製する方法であって、該糖類が(例えば、その反復単位の一部として)、アミノ基および／もしくはカルボキシル基を含むか、または含むように誘導体化されたものであり、該タンパク質担体が、アミノ基および／もしくはカルボキシル基を含むか、または含むように誘導体化されたものであり、
I)タンパク質担体がアミノ基およびカルボキシル基の両方を含み、糖類がアミノ基もしくはカルボキシル基のいずれかを含む場合、
a)コンジュゲーションを実施するのに必要な糖類とカルボジイミドのアリコートとを混合する工程、および
b)35秒間〜6時間に渡って必要とされるタンパク質担体のアリコートを添加する工程；
II)糖類がアミノ基およびカルボキシル基の両方を含み、タンパク質担体がアミノ基もしくはカルボキシル基のいずれかを含む場合、
a)コンジュゲーションを実施するのに必要なタンパク質担体とカルボジイミドのアリコートとを混合する工程、および
b)10分間〜4時間に渡って必要とされる糖類のアリコートを添加する工程；
III)糖類がアミノ基およびカルボキシル基の両方を含み、タンパク質担体がアミノ基およびカルボキシル基の両方を含む場合、
a)タンパク質担体と糖類とを混合する工程、および
b)35秒間〜6時間に渡ってコンジュゲーションを実施するのに必要とされるカルボジイミドのアリコートを添加する工程、
ならびに糖類-タンパク質コンジュゲートを、ブドウ球菌抗原と混合するさらなる工程、
を含む、前記方法。
【請求項２】
カルボジイミドがEDAC(1-エチル-3-(3-ジメチル-アミノプロピル)カルボジイミド)またはEDAC以外のカルボジイミドである、請求項１に記載の方法。
【請求項３】
前記糖類および／またはタンパク質担体がアミノ基またはカルボキシル基を含むように誘導体化されたものである、請求項１または２に記載の方法。
【請求項４】
工程b)において、カルボジイミド、糖類またはタンパク質担体のアリコートを、ポンプを用いて一定の速度で添加する、請求項１〜３のいずれか１項に記載の方法。
【請求項５】
工程b)において、カルボジイミド、糖類またはタンパク質担体のアリコートを、前記期間に渡って段階的に添加する、請求項１〜３のいずれか１項に記載の方法。
【請求項６】
前記アリコートの少なくとも1/4を前記期間の最初の半分に渡って添加し、前記期間の第2の半分に渡って該アリコートの少なくとも1/4を添加する、請求項５に記載の方法。
【請求項７】
前記アリコート「a」を、4〜100段階「s」で添加する、請求項５または６に記載の方法。
【請求項８】
前記アリコートのa/sを各段階で添加する、請求項７に記載の方法。
【請求項９】
1段階が前記期間「p」の時間0で起こる場合に、それぞれその後の段階がp/(s-1)である時間で起こる、請求項７または８に記載の方法。
【請求項１０】
カルボジイミド縮合化学を用いて糖類をブドウ球菌タンパク質担体にコンジュゲートさせる方法であって、該糖類が(例えば、その反復単位の一部として)、アミノ基および／もしくはカルボキシル基を含むか、または含むように誘導体化されたものであり、該タンパク質担体がアミノ基および／もしくはカルボキシル基を含むか、または含むように誘導体化されたものであり、
I)ブドウ球菌タンパク質担体がアミノ基およびカルボキシル基の両方を含み、糖類がアミノ基もしくはカルボキシル基のいずれかを含む場合、
a)コンジュゲーションを実施するのに必要な糖類とカルボジイミドのアリコートとを混合する工程、および
b)35秒間〜6時間に渡って必要とされるブドウ球菌タンパク質担体のアリコートを添加する工程；
II)糖類がアミノ基およびカルボキシル基の両方を含み、タンパク質担体がアミノ基もしくはカルボキシル基のいずれかを含む場合、
a)コンジュゲーションを実施するのに必要なブドウ球菌タンパク質担体とカルボジイミドのアリコートとを混合する工程、および
b)35秒間〜6時間に渡って必要とされる糖類のアリコートを添加する工程；
III)糖類がアミノ基およびカルボキシル基の両方を含み、タンパク質担体がアミノ基およびカルボキシル基の両方を含む場合、
a)ブドウ球菌タンパク質担体と糖類とを混合する工程、および
b)35秒間〜6時間に渡ってコンジュゲーションを実施するのに必要とされるカルボジイミドのアリコートを添加する工程、
を含む、前記方法。
【請求項１１】
前記ブドウ球菌タンパク質が、ラミニン受容体、SitC/MntC/唾液結合タンパク質、EbhA、EbhB、エラスチン結合タンパク質(EbpS)、EFB (FIB)、SBI、プロテインA、オートリシン、ClfA、SdrC、SdrD、SdrE、SdrG、SdrH、リパーゼGehD、SasA、FnbA、FnbB、Cna、ClfB、FbpA、Npase、IsaA/PisA、SsaA、SasH、EPB、SSP-1、SSP-2、HBP、ビトロネクチン結合タンパク質、フィブリノゲン結合タンパク質、凝固酵素、FigおよびMAP、免疫優性ABC輸送体、IsdA、IsdB、IsdC、IsdH/HarA、Mg2+輸送体、SitCおよびNi ABC輸送体、SasA、MRPII、ペニシリン結合タンパク質4、VPL、α毒素(Hla)、α毒素H35R変異体ならびにRNA III活性化タンパク質 (RAP)またはその免疫原性断片もしくは融合タンパク質からなる群より選択される、請求項１０に記載の方法。
【請求項１２】
請求項１０または１１に記載の方法により得られる糖類-タンパク質担体コンジュゲートであって、該方法の工程b)における期間が35秒未満であるコンジュゲーション方法により作製された糖類-タンパク質担体コンジュゲートと比較して存在する部分内架橋が少ない、前記糖類-タンパク質担体コンジュゲート。
【請求項１３】
請求項１〜９のいずれか１項に記載の方法により得られるブドウ球菌糖類を含む免疫原性組成物またはワクチンであって、該方法の工程b)における期間が35秒未満であるコンジュゲーション方法により作製された糖類-タンパク質担体コンジュゲートと比較して存在する部分内架橋が少ない、前記免疫原性組成物またはワクチン。
【請求項１４】
疾患の予防または治療のための医薬の製造における請求項１３に記載の免疫原性組成物またはワクチンの使用。
【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
少なくとも１種のジエンエラストマー、１種の補強用充填剤および１種の可塑化系を含み；前記可塑化系が、下記を含むことを特徴とするゴム組成物：
‐ガラス転移温度(Tg)が0℃よりも高い可塑化用炭化水素樹脂；および、
‐下記の式(I)に相応するトリ-またはピロメリット酸エステル：
【化１】
2010514861.tif 000001
(式中、R基は、同一または異なるものであって、炭化水素基を示し；R'基は、水素またはCOOR基を示す)。
【請求項２】
R基が、同一または異なるものであって、1〜30個の炭素原子を含む線状、枝分れまたは環状のアルキル、および6〜30個の炭素原子を含むアリール、アラルキルまたはアルカリルからなる群から選ばれる、請求項１記載のゴム組成物。
【請求項３】
前記エステルが、下記の式(II)のトリメリテートである、請求項１記載のゴム組成物：
【化２】
2010514861.tif 000002
【請求項４】
前記トリメリテートが、トリメリット酸トリオクチル(TOTM)、トリメリット酸トリイソオクチル(TIOTM)およびこれら化合物の混合物からなる群から選ばれる、請求項３記載のゴム組成物。
【請求項５】
トリ-またはピロメリット酸エステルの量が、5〜60pceである、請求項１〜４のいずれか１項記載のゴム組成物。
【請求項６】
前記可塑化用炭化水素樹脂が、シクロペンタジエン(CPDと略記する)またはジシクロペンタジエン(DCPDと略記する)のホモポリマーまたはコポリマー樹脂、テルペンホモポリマーまたはコポリマー樹脂、C5留分ホモポリマーまたはコポリマー樹脂、およびこれら樹脂の混合物からなる群から選ばれる、請求項１〜５のいずれか１項記載の組成物。
【請求項７】
前記可塑化用炭化水素樹脂の量が、5〜60pceである、請求項１〜６のいずれか１項記載の組成物。
【請求項８】
前記ジエンエラストマーが、ポリブタジエン、合成ポリイソプレン、天然ゴム、ブタジエンコポリマー、イソプレンコポリマーおよびこれらエラストマーのブレンドからなる群から選ばれる、請求項１〜７のいずれか１項記載の組成物。
【請求項９】
請求項１〜８のいずれか１項記載のゴム組成物を含むトレッドを有するタイヤ。
【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
少なくとも、一つのジエンエラストマー、一つの補強用充填剤及び一つの加硫系をベースとする組成物を有するタイヤトレッドであって、組成物がキサンタンガム粉末をエラストマー100部に対して10〜40質量部（以下、pce）の割合で含むことを特徴とする、前記トレッド。
【請求項２】
組成物に含まれるキサンタンガム粉末の割合が、15〜30pceである、請求項1に記載のトレッド。
【請求項３】
キサンタンガム粉末の構成粒子のサイズが、10〜500μmである、請求項1に記載のトレッド。
【請求項４】
ジエンエラストマーが、主に50pceを超えるイソプレンエラストマーである、請求項1に記載のトレッド。
【請求項５】
補強用充填剤が、主にカーボンブラックを含む、請求項1に記載のトレッド。
【請求項６】
補強用充填剤が、主にシリカを含む、請求項1に記載のトレッド。
【請求項７】
補強用充填剤が、カーボンブラックとシリカのブレンドを含む、請求項1に記載のトレッド。
【請求項８】
少なくとも、一つのジエンエラストマー、一つの補強用充填剤及び一つの加硫系をベースとするトレッド用ゴム組成物を得る方法であって、
加硫系を除く組成物の成分を熱機械的に混練する第一相を有し、
組成物がキサンタンガム粉末を10〜40pceの割合で含み、且つ
キサンタンガム粉末が第一混練相の間に組み込まれることを特徴とする、前記方法。
【請求項９】
第一相が、二つの段階: キサンタンガム粉末を除く、組成物の合わせた成分を混練する第一段階とキサンタンガム粉末が組み込まれる第二段階で行われる、請求項8に記載の方法。
【請求項１０】
請求項1に記載のトレッドを備えるタイヤ。
【請求項１１】
請求項1に記載のトレッドを備えるウインタータイヤ。
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
（１）重合反応器から排出されるポリオレフィンを飽和水蒸気の対向流と接触させて、該ポリオレフィンから気体を除去し且つ該ポリオレフィンの粒子上に凝縮水蒸気を形成し；
（２）乾燥不活性ガスの対向流を用いてポリオレフィン粒子を乾燥し、該乾燥不活性ガスの流れによってポリオレフィン粒子を流動化状態に保持し、該凝縮水蒸気の蒸発によってポリオレフィンを冷却する；
ことを含み、
前記工程（１）における該ポリオレフィンの滞留時間が１０〜４５分の範囲である、
１種類以上のα−オレフィンの重合によって製造されるポリオレフィンの仕上げ処理を行う方法。
【請求項２】
工程（１）に供給される該飽和水蒸気の量がポリオレフィン１０００ｋｇあたり３０〜１５０ｋｇの範囲である、請求項１に記載の方法。
【請求項３】
飽和水蒸気の量がポリオレフィン粒子上に凝縮する水蒸気の量の少なくとも５０重量％過剰である、請求項１に記載の方法。
【請求項４】
該ポリオレフィンが工程（１）の容器を通して「栓流」状態で下降する、請求項１に記載の方法。
【請求項５】
水蒸気処理工程（１）を９５〜１２０℃の温度及び１〜４ｂａｒの圧力で運転する、請求項１に記載の方法。
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
含量が0.2〜1phr（phrはゴム(エラストマー)100部当たりの部を意味する）の亜鉛を含有し、少なくとも一つのジエンエラストマーに基づき且つ少なくとも:
- 一つの補強用充填剤;
- ラウリン酸亜鉛又は酢酸亜鉛より選ばれるカルボン酸亜鉛を含む、一つの硫黄ベースの架橋系
に基づくゴム組成物。
【請求項２】
ジエンエラストマーが、40phrを超えるイソプレンエラストマーを含む、請求項1に記載の組成物。
【請求項３】
補強用充填剤が、カーボンブラックを10phrを超える含量で含む、請求項1又は2に記載の組成物。
【請求項４】
補強用充填剤が、主にカーボンブラックを含む、請求項3に記載の組成物。
【請求項５】
補強用充填剤が、カーボンブラックと無機充填剤のブレンドを含む、請求項3又は4に記載の組成物。
【請求項６】
無機充填剤が、シリカを含む、請求項5に記載の組成物。
【請求項７】
補強用充填剤が、シリカとカーボンブラックを含み、シリカの量が(質量で)カーボンブラックの量以下である、請求項6に記載の組成物。
【請求項８】
加硫系の第一及び第二の加硫促進剤と加硫活性化剤すべての含量が、0.5〜10phrである、請求項1〜7のいずれか1項に記載の組成物。
【請求項９】
加硫系の第一及び第二の加硫促進剤と加硫活性化剤すべての含量が、0.5〜5phrである、請求項1〜7のいずれか1項に記載の組成物。
【請求項１０】
亜鉛を0.2〜1phrの含量で含有する少なくとも一つのジエンエラストマーに基づくゴム組成物を調製する方法であって、少なくとも一つの補強用充填剤、及びラウリン酸亜鉛又は酢酸亜鉛より選ばれるカルボン酸亜鉛を含む硫黄ベースの架橋系をジエンエラストマーに、混練によって、組み込むことを特徴とする、前記方法。
【請求項１１】
以下の工程:
- ミキサーにおいて、補強用充填剤とカルボン酸亜鉛をジエンエラストマーに、130°C〜200°Cの最高温度に達するまで、一つ以上の段階で、全体の混合物を熱機械的に混練することによって組み込む工程;
- 全体の混合物を100°C未満の温度に冷却する工程;
- その後、すでに組み込まれたカルボン酸塩を別にして加硫系を組み込む工程であって: この加硫系が、最終組成物中の亜鉛含量が1phr未満であるようなものである、前記工程;
- 全体の混合物を120°C未満の最高温度まで混練する工程;
- 得られたゴム組成物を押出すか又はカレンダー操作する工程
を含む、請求項9に記載の方法。
【請求項１２】
組成物中に存在する80%を超える亜鉛が、カルボン酸亜鉛由来である、請求項10又は11に記載の方法。
【請求項１３】
請求項1〜9のいずれか1項に記載のゴム組成物を含む自動車用の路面接触系。
【請求項１４】
請求項1〜9のいずれか1項に記載のゴム組成物を含むタイヤ。
【請求項１５】
請求項1〜9のいずれか1項に記載のゴム組成物を含むタイヤの製造に組み込まれる半製品。
【請求項１６】
請求項1〜9のいずれか1項に記載のゴム組成物を含むタイヤトレッド。
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
表面分子および複数のクロット結合化合物を含む結合体であって、該クロット結合化合物が凝固した血漿タンパク質に選択的に結合し、該結合体が凝固を引き起こし、そして腫瘍における該結合体の蓄積を増幅し、ここで該結合体が、凝固を引き起こし、そして腫瘍における該結合体の蓄積を増幅するように、十分な数、密度および組成のクロット結合化合物を含み、該クロット結合化合物の数、密度および組成の十分性が、好ましくは、非ヒト動物中の腫瘍における凝固および前記結合体の蓄積の増幅を評価することにより決定される、結合体。
【請求項２】
複数の前記クロット結合化合物が、各々独立して、アミノ酸配列ＲＥＫを含むアミノ酸セグメント、フィブリン結合ペプチド、クロット結合抗体、およびクロット結合小有機分子から選択される、請求項１に記載の結合体。
【請求項３】
複数の前記クロット結合化合物が、各々独立して、アミノ酸配列ＲＥＫを含むアミノ酸セグメントを含み、ここで該アミノ酸セグメントが、各々独立して、アミノ酸配列ＣＲＥＫＡ（配列番号１）を含むアミノ酸セグメントまたはその保存的改変体、アミノ酸配列ＣＲＥＫＡ（配列番号１）を含むアミノ酸セグメント、アミノ酸配列ＣＲＥＫＡ（配列番号１）からなるアミノ酸セグメント、およびアミノ酸配列ＲＥＫからなるアミノ酸セグメントから選択される、請求項１に記載の結合体。
【請求項４】
前記アミノ酸セグメントが、各々独立して、アミノ酸配列ＣＲＥＫＡ（配列番号１）を含むアミノ酸セグメントまたはその保存的改変体を含むか、あるいはアミノ酸配列ＣＲＥＫＡ（配列番号１）またはＲＥＫからなる、請求項３に記載の結合体。
【請求項５】
複数の前記クロット結合化合物が各々、フィブリン結合ペプチドを含み、ここで該フィブリン結合ペプチドが独立して、好ましくはフィブリン結合ペプチド、およびそのフィブリン結合誘導体からなる群から選択される、請求項１に記載の結合体。
【請求項６】
複数の前記クロット結合化合物が各々、クロット結合抗体またはクロット結合小有機分子を含む、請求項１に記載の結合体。
【請求項７】
前記表面分子が、ナノ粒子、酸化鉄ナノ粒子またはアルブミンナノ粒子であるか、あるいは前記表面分子が、リポソーム、ミクロ粒子またはフルオロカーボンミクロバブルを含む、請求項１に記載の結合体。
【請求項８】
前記結合体が、少なくとも１００のクロット結合化合物、少なくとも１０００のクロット結合化合物、または少なくとも１０，０００のクロット結合化合物を含む、請求項１に記載の結合体。
【請求項９】
前記表面分子が、検出可能であり、及び／又は前記表面分子が、治療剤であって、ここで該治療剤が、Ａｂｒａｘａｎｅである、請求項１に記載の結合体。
【請求項１０】
前記結合体が、１つ以上の成分をさらに含み、該成分が、好ましくは、抗−血管新生剤、プロ−血管新生剤、癌化学療法剤、細胞障害剤、抗炎症剤、抗関節炎剤、ポリペプチド、核酸分子、小分子、フルオロフォア、フルオレセイン、ローダミン、放射性核種、インジウム−１１１、テクネチウム−９９、カーボン−１１、およびカーボン−１３からなる群から独立して選択され、該成分の少なくとも１つが、好ましくは、治療剤である、請求項１に記載の結合体。
【請求項１１】
前記治療剤が、パクリタキセル、および／またはタキソールであり、そして／あるいは前記少なくとも１つの成分が、検出可能な作用物質である、請求項１０に記載の結合体。
【請求項１２】
前記結合体が、凝固した血漿タンパク質に選択的にホーミングし、そして／あるいは前記結合体が、腫瘍脈管構造、創傷部位、または両方に選択的にホーミングする、請求項１に記載の結合体。
【請求項１３】
腫瘍の治療のための医薬の調製のための請求項１に記載の結合体の使用であって、該結合体が凝固した血漿タンパク質に選択的にホーミングし、該結合体が凝固を引き起こし、そして該凝固した血漿タンパク質の部位で該結合体の蓄積を増幅し、該結合体が、好ましくは、腫瘍脈管構造、創傷部位、または両方に選択的にホーミングする、使用。
【請求項１４】
前記結合体が、治療効果を有し、該治療効果が、好ましくは、腫瘍負荷の増加の減速または腫瘍負荷の減少であり、そして／あるいは該治療効果が、好ましくは、腫瘍サイズの増加の減速または腫瘍サイズの減少であり、そして／あるいは該治療効果が、好ましくは、腫瘍における血液循環の減少または阻止であり、そして／あるいは該治療効果が、好ましくは、創傷部位における出血の減少または停止であり、そして／あるいは該治療効果が、好ましくは、前記治療効果が、創傷部位における出血が停止する時間における減少であり、そして／あるいは該治療効果が、好ましくは、炎症における減少、創傷治癒における速度の増加、瘢痕組織の量における減少、痛みにおける減少、腫れにおける減少、壊死における減少またはこれらの組み合わせである、請求項１３に記載の使用。
【請求項１５】
前記凝固が、治療効果を有する、請求項１３または１４に記載の方法。
【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2010514831.tif 000001
（Ｉ）
［式中、
ＸおよびＹの一方はＯであり、他方はＮであり；
ＥおよびＱの一方はＮであり、他方はＣＨであり；
Ｒ1はＳＯ2Ｒ5または-ＣＯＮＨＲ6であり；
Ｒ2は水素またはメチルであり；
Ｒ3は水素またはメチルであり；
Ｒ4はＣ2-5アルキルであり；
Ｒ5はＣ1-3アルキルであり；並びに
Ｒ6は水素、Ｃ1-3アルキル、またはヒドロキシで置換されたＣ2-3アルキルである］
の化合物、またはその医薬的に許容される塩。
【請求項２】
ＸがＯである、請求項１に記載の化合物またはその医薬的に許容される塩。
【請求項３】
ＹがＯである、請求項１に記載の化合物またはその医薬的に許容される塩。
【請求項４】
Ｒ1がＳＯ2Ｒ5である、請求項１〜３のいずれか一項に記載の化合物またはその医薬的に許容される塩。
【請求項５】
Ｒ1がＳＯ2ＣＨ3である、請求項４に記載の化合物またはその医薬的に許容される塩。
【請求項６】
Ｒ1が-ＣＯＮＨＲ6である、請求項１〜３のいずれか一項に記載の化合物またはその医薬的に許容される塩。
【請求項７】
Ｒ6がＣ1-3アルキル、またはヒドロキシで置換されたＣ2-3アルキルである、請求項６に記載の化合物またはその医薬的に許容される塩。
【請求項８】
Ｒ6がヒドロキシで置換されたＣ2-3アルキルである、請求項７に記載の化合物またはその医薬的に許容される塩。
【請求項９】
Ｒ6が２-ヒドロキシエチルまたは２-ヒドロキシ-１-メチルエチルである、請求項８に記載の化合物またはその医薬的に許容される塩。
【請求項１０】
Ｒ3が水素である、請求項１〜９のいずれか一項に記載の化合物またはその医薬的に許容される塩。
【請求項１１】
Ｒ3がメチルである、請求項１〜９のいずれか一項に記載の化合物またはその医薬的に許容される塩。
【請求項１２】
Ｒ3がメチルであり、生成する立体中心が(Ｒ)-立体配置を持つ、請求項１１に記載の化合物またはその医薬的に許容される塩。
【請求項１３】
Ｒ4がＣ3-4アルキルである、請求項１〜１２のいずれか一項に記載の化合物またはその医薬的に許容される塩。
【請求項１４】
Ｒ4がイソプロピルである、請求項１３に記載の化合物またはその医薬的に許容される塩。
【請求項１５】
下表：
2010514831.tif 000002
2010514831.tif 000003
2010514831.tif 000004
2010514831.tif 000005
のいずれか一つの構造を有する化合物、またはその医薬的に許容される塩。
【請求項１６】
請求項１〜１５のいずれか一項に記載の化合物またはその医薬的に許容される塩と医薬的に許容される担体とを含む医薬組成物。
【請求項１７】
請求項１〜１５のいずれか一項に記載の化合物またはその医薬的に許容される塩を含む、ＧＰＲ１１９が関与している疾患または症状の治療剤。
【請求項１８】
請求項１〜１５いずれか一項に記載の化合物またはその医薬的に許容される塩を含む、飽満感の調節剤。
【請求項１９】
請求項１〜１５のいずれか一項に記載の化合物またはその医薬的に許容される塩を含む、肥満の治療剤。
【請求項２０】
請求項１〜１５のいずれか一項に記載の化合物またはその医薬的に許容される塩を含む、糖尿病の治療剤。
【請求項２１】
請求項１〜１５のいずれか一項に記載の化合物またはその医薬的に許容される塩を含む、メタボリック症候群（症候群Ｘ）、耐糖能異常、高脂質血症、高トリグリセリド血症、高コレステロール血症、低ＨＤＬレベルまたは高血圧の治療剤。
【請求項２２】
医薬品として使用するための請求項１〜１５のいずれか一項に記載の化合物またはその医薬的に許容される塩。
【請求項２３】
請求項１７〜２１のいずれか一項で定義した疾患または症状を処置または防止するための医薬品の製造において使用するための、請求項１〜１５のいずれか一項に記載の化合物またはその医薬的に許容される塩。
【請求項２４】
請求項１７〜２１のいずれか一項で定義した疾患または症状の処置または防止に使用するための、請求項１〜１５のいずれか一項に記載の化合物またはその医薬的に許容される塩。
【請求項２５】
下表：
2010514831.tif 000006
の構造を有する請求項１に記載の化合物、またはその医薬的に許容される塩。
【請求項２６】
下表：
2010514831.tif 000007
の構造を有する請求項１に記載の化合物、またはその医薬的に許容される塩。
【請求項２７】
下表：
2010514831.tif 000008
の構造を有する請求項１に記載の化合物、またはその医薬的に許容される塩。
【請求項２８】
下表：
2010514831.tif 000009
の構造を有する請求項１に記載の化合物、またはその医薬的に許容される塩。
【請求項２９】
下表：
2010514831.tif 000010
の構造を有する請求項１に記載の化合物、またはその医薬的に許容される塩。
【請求項３０】
下表：
2010514831.tif 000011
の構造を有する請求項１に記載の化合物、またはその医薬的に許容される塩。
【請求項３１】
下表：
2010514831.tif 000012
の構造を有する請求項１に記載の化合物、またはその医薬的に許容される塩。
【請求項３２】
下表：
2010514831.tif 000013
の構造を有する請求項１に記載の化合物、またはその医薬的に許容される塩。
【請求項３３】
下表：
2010514831.tif 000014
の構造を有する請求項１に記載の化合物、またはその医薬的に許容される塩。
【請求項３４】
下表：
2010514831.tif 000015
の構造を有する請求項１に記載の化合物、またはその医薬的に許容される塩。
【請求項３５】
下表：
2010514831.tif 000016
の構造を有する請求項１に記載の化合物、またはその医薬的に許容される塩。
【請求項３６】
下表：
2010514831.tif 000017
の構造を有する請求項１に記載の化合物、またはその医薬的に許容される塩。
【請求項３７】
下表：
2010514831.tif 000018
の構造を有する請求項１に記載の化合物、またはその医薬的に許容される塩。
【請求項３８】
下表：
2010514831.tif 000019
の構造を有する請求項１に記載の化合物、またはその医薬的に許容される塩。
【請求項３９】
下表：
2010514831.tif 000020
の構造を有する請求項１に記載の化合物、またはその医薬的に許容される塩。
【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
式I
【化１】
2010514834.tif 000001
の非免疫抑制性シクロスポリンＡ誘導体の使用であって、ウールリッヒ型先天筋ジストロフィー又はベツレムミオパシー（Bethlem myopathy）に罹患する患者の細胞における、ミトコンドリア機能不全及びアポトーシス速度を低下させるための、使用。
【請求項２】
非免疫抑制性シクロスポリンＡ誘導体が、式II
【化２】
2010514834.tif 000002
のシクロスポリン誘導体である、請求項１に記載の使用。
【請求項３】
非免疫抑制性シクロスポリンＡ誘導体が、式III
【化３】
2010514834.tif 000003
の非免疫抑制性シクロスポリン［D−MeAla］3−［EtVal］4−ＣｓＡである、請求項１又は２に記載の使用。
【請求項４】
式Iの非免疫抑制性シクロスポリンＡ誘導体の使用であって、ウールリッヒ型先天筋ジストロフィー又はベツレムミオパシーの処置を目的とした医薬の製造のための、使用。
【請求項５】
非免疫抑制性シクロスポリンＡ誘導体が、式IIのシクロスポリン誘導体である、請求項４に記載の使用。
【請求項６】
非免疫抑制性シクロスポリンＡ誘導体が、式IIIの非免疫抑制性シクロスポリン［D−MeAla］3−［EtVal］4−ＣｓＡである、請求項４又は５に記載の使用。
【請求項７】
患者における、ウールリッヒ型先天筋ジストロフィー又はベツレムミオパシーの処置のための方法であって、式Iの非免疫抑制性シクロスポリンＡ誘導体の有効量を患者に投与することを含んでなる、方法。
【請求項８】
非免疫抑制性シクロスポリンＡ誘導体が、式IIのシクロスポリン誘導体である、請求項７に記載の方法。
【請求項９】
非免疫抑制性シクロスポリンＡ誘導体が、式IIIの非免疫抑制性シクロスポリン［D−MeAla］3−［EtVal］4−ＣｓＡである、請求項７又は８に記載の方法。
【請求項１０】
ウールリッヒ型先天筋ジストロフィー又はベツレムミオパシーの処置のための医薬組成物であって、式Iの非免疫抑制性シクロスポリンＡ誘導体の有効量、医薬的に許容可能な担体を含んでなるとともに、任意に賦形剤及び希釈剤を含んでなる、医薬組成物。
【請求項１１】
非免疫抑制性シクロスポリンＡ誘導体が、式IIのシクロスポリン誘導体である、請求項１０に記載の医薬組成物。
【請求項１２】
非免疫抑制性シクロスポリンＡ誘導体が、式IIIの非免疫抑制性シクロスポリン［D−MeAla］3−［EtVal］4−ＣｓＡである、請求項１０又は１１に記載の医薬組成物。
【請求項１３】
追加の活性成分をさらに含んでなる、請求項１０〜１２のいずれか１項に記載の医薬組成物。
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2010514832.tif 000001
（Ｉ）
［式中、
ＸおよびＹの一方はＯであり、他方はＮであり；
Ｒ1はＳＯ2Ｒ5、ＮＲ6Ｒ7、または-ＣＯＮＲ6Ｒ7であり；
Ｒ2は水素またはメチルであり；
Ｒ3は水素またはメチルであり；
Ｒ4はＣ2-5アルキルであり；
Ｒ5はＣ1-3アルキルであり；
Ｒ6およびＲ7は独立して、水素であるか、ハロ、ヒドロキシ、Ｃ1-4アルコキシ-、アリールオキシ-、アリールＣ1-4アルコキシ-、Ｃ1-4アルキルＳ（Ｏ）m-、Ｃ3-7ヘテロシクリル、Ｎ（Ｒ8）2もしくは-Ｃ（Ｏ）ＯＲ9で適宜置換されていてもよいＣ1-4アルキルであるか；またはＣ3-7シクロアルキル、アリール、ヘテロシクリルもしくはヘテロアリールであってもよく、その中で、該環状基は、ハロ、Ｃ1-4アルキル、Ｃ1-4フルオロアルキル、ＯＲ6、ＣＮ、ＳＯ2ＣＨ3、Ｎ（Ｒ8）2およびＮＯ2から選択される一つ以上の置換基で置換されうるか；あるいは
Ｒ6およびＲ7は一緒になって、ヒドロキシ、Ｃ1-4アルキルまたはＣ1-4ヒドロキシアルキルで適宜置換されており、かつＯおよびＮＲ8から選択されるさらなるヘテロ原子を適宜含む５もしくは６員ヘテロ環を形成してもよく；
Ｒ8は独立して、水素またはＣ1-4アルキルであり；あるいは
Ｎ（Ｒ8）2基は、ＯおよびＮＲ8から選択されるさらなるヘテロ原子を適宜含む４〜７員ヘテロ環を形成してもよく；
Ｒ9は水素またはＣ1-4アルキルであり；並びに
ｍは０、１または２である］
の化合物、またはその医薬的に許容される塩。
【請求項２】
ＸがＯである、請求項１に記載の化合物またはその医薬的に許容される塩。
【請求項３】
ＹがＯである、請求項１に記載の化合物またはその医薬的に許容される塩。
【請求項４】
Ｒ1がＳＯ2Ｒ5である、請求項１〜３のいずれか一項に記載の化合物またはその医薬的に許容される塩。
【請求項５】
Ｒ1がＳＯ2ＣＨ3である、請求項１〜４のいずれか一項に記載の化合物またはその医薬的に許容される塩。
【請求項６】
Ｒ1が-ＣＯＮＲ6Ｒ7である、請求項１〜３のいずれか一項に記載の化合物またはその医薬的に許容される塩。
【請求項７】
Ｒ6が水素、Ｃ1-3アルキル、またはヒドロキシで置換されたＣ2-3アルキルであり、Ｒ7が水素である、請求項１〜３および６のいずれか一項に記載の化合物またはその医薬的に許容される塩。
【請求項８】
Ｒ6がＣ1-3アルキル、またはヒドロキシで置換されたＣ2-3アルキルである、請求項１〜３、６および７のいずれか一項に記載の化合物またはその医薬的に許容される塩。
【請求項９】
Ｒ6がヒドロキシで置換されたＣ2-3アルキルである、請求項１〜３および６〜８のいずれか一項に記載の化合物またはその医薬的に許容される塩。
【請求項１０】
Ｒ6が２-ヒドロキシエチルまたは２-ヒドロキシ-１-メチルエチルである、請求項１〜３および６〜９のいずれか一項に記載の化合物またはその医薬的に許容される塩。
【請求項１１】
Ｒ3が水素である、請求項１〜１０のいずれか一項に記載の化合物またはその医薬的に許容される塩。
【請求項１２】
Ｒ3がメチルである、請求項１〜１０のいずれか一項に記載の化合物またはその医薬的に許容される塩。
【請求項１３】
Ｒ3がメチルであり、生成する立体中心が(Ｒ)-立体配置を持つ、請求項１〜１０および１２のいずれか一項に記載の化合物またはその医薬的に許容される塩。
【請求項１４】
Ｒ4がＣ3-4アルキルである、請求項１〜１３のいずれか一項に記載の化合物またはその医薬的に許容される塩。
【請求項１５】
Ｒ4がイソプロピルである、請求項１〜１４のいずれか一項に記載の化合物またはその医薬的に許容される塩。
【請求項１６】
実施例１〜４のいずれか一つに定義した式（Ｉ）の化合物またはその医薬的に許容される塩。
【請求項１７】
請求項１〜１６のいずれか一項に記載の化合物またはその医薬的に許容される塩と医薬的に許容される担体とを含む医薬組成物。
【請求項１８】
請求項１〜１６のいずれか一項に記載の化合物またはその医薬的に許容される塩を含む、ＧＰＲ１１９が関与している疾患または症状の治療剤。
【請求項１９】
請求項１〜１６いずれか一項に記載の化合物またはその医薬的に許容される塩を含む、飽満感の調節剤。
【請求項２０】
請求項１〜１６のいずれか一項に記載の化合物またはその医薬的に許容される塩を含む、肥満の治療剤。
【請求項２１】
請求項１〜１６のいずれか一項に記載の化合物またはその医薬的に許容される塩を含む、糖尿病の治療剤。
【請求項２２】
請求項１〜１６のいずれか一項に記載の化合物またはその医薬的に許容される塩を含む、メタボリック症候群（症候群Ｘ）、耐糖能異常、高脂質血症、高トリグリセリド血症、高コレステロール血症、低ＨＤＬレベルまたは高血圧の治療剤。
【請求項２３】
医薬品として使用するための請求項１〜１６のいずれか一項に記載の化合物またはその医薬的に許容される塩。
【請求項２４】
請求項１８〜２２のいずれか一項で定義した疾患または症状を処置または防止するための医薬品の製造において使用するための、請求項１〜１６のいずれか一項に記載の化合物またはその医薬的に許容される塩。
【請求項２５】
請求項１７〜２１のいずれか一項で定義した疾患または症状の処置または防止に使用するための、請求項１〜１６のいずれか一項に記載の化合物またはその医薬的に許容される塩。
【手続補正書】
【提出日】平成22年12月6日(2010.12.6)
【手続補正１】
【補正対象書類名】明細書
【補正対象項目名】００３６
【補正方法】変更
【補正の内容】
【００３６】
乳化剤（ｃ）は、例えば界面活性剤のような合成乳化剤（例えばエトキシ化された脂肪アルコール）または、例えばレシチンのような天然乳化剤に区分され得る。ここで、８〜１８の範囲のＨＬＢ値を有する乳化剤が好ましい。
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
溶融染料を含む染料可溶の芯ポリマーにより形成された芯と、実質的に染料を含まない実質的に染料が不溶の鞘ポリマーにより形成された鞘とを含む退色抵抗性着色芯鞘２成分繊維。
【請求項２】
繊維がスパンボンド法で紡糸される請求項１に記載の繊維。
【請求項３】
請求項１に従って製造される繊維を含むウェブ。
【請求項４】
２つのスパンボンドウェブの間に位置するメルトブローウェブを含むスパンボンド／メルトブロー／スパンボンド複合不織布であって、前記スパンボンドウェブのうちの少なくとも１つが、請求項２に従って製造されるスパンボンド／メルトブロー／スパンボンド複合不織布。
【請求項５】
請求項３又は４に記載のウェブまたは複合不織布を含む衣類。
【手続補正２】
【補正対象書類名】明細書
【補正対象項目名】００２０
【補正方法】変更
【補正の内容】
【００２０】
上記のウェブを、標準の洗濯サイクルで１０回、熱水および石けんで洗浄し、更に上述のように試験した。得られたｘ、ｙおよびＹ座標から、ポリエチレンの鞘が芯ポリマーに埋め込まれた染料を保護していることが判った。
次に、本発明の態様を示す。
1.  溶融染料を含む染料可溶の芯ポリマーにより形成された芯と、実質的に染料を含まない実質的に染料が不溶の鞘ポリマーにより形成された鞘とを含む退色抵抗性着色芯鞘２成分繊維。
2.  芯が同心状または偏心状である上記１に記載の繊維。
3.  芯鞘繊維が通常、丸断面形状である上記１に記載の繊維。
4.  芯が繊維の断面積の約１０〜約９０％を占め、鞘が繊維の断面積の約１０〜約９０％を占める上記１に記載の繊維。
5.  芯ポリマーが、ポリエステル、ポリアミドおよびコポリマー並びにそれらの混合物からなる群から選択される上記１に記載の繊維。
6.  鞘ポリマーが、ポリオレフィンおよびコポリマー並びにそれらの混合物からなる群から選択される上記１に記載の繊維。
7.  芯ポリマーが、０．１ｗｔ％〜１０ｗｔ％の染料を含む上記１に記載の繊維。
8.  染料が有機染料から選択される上記１に記載の繊維。
9.  染料が蛍光性である上記８に記載の繊維。
10.  芯ポリマーがポリ（エチレンテレフタレート）であり、鞘ポリマーがポリエチレンであり、染料が蛍光性である上記１に記載の繊維。
11.  繊維がスパンボンド法で紡糸される上記１に記載の繊維。
12.  繊維がメルトブロー法で紡糸される上記１に記載の繊維。
13.  上記１に従って製造される繊維を含むウェブ。
14.  上記１１に従って製造される繊維を含むスパンボンドウェブ。
15.  上記１２に従って製造される繊維を含むメルトブローウェブ。
16.  ２つのスパンボンドウェブの間に位置するメルトブローウェブを含むスパンボンド／メルトブロー／スパンボンド複合不織布であって、前記スパンボンドウェブのうちの少なくとも１つが、上記１１に従って製造されるスパンボンド／メルトブロー／スパンボンド複合不織布。
17.  メルトブローウェブが上記１２に従って製造される上記１６に記載の複合不織布。
18.  上記１３〜１７のいずれか一項に記載のウェブまたは複合不織布を含む衣類。
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
ａ）高分子材料を含むメルトブローン繊維を押出成形する工程と、
ｂ）最初の不織繊維ウェブとして、前記メルトブローン繊維を集める工程と、
前記繊維は、歪み誘導結晶化を実質的に含まない、
ｃ）制御された加熱及び冷却作業で、前記最初の不織繊維ウェブをアニーリングする工程と、
前記加熱及び冷却作業は、
ｉ）ステップａ）の高分子材料の低温結晶化温度（Ｔｃｃ）超の温度を有する第１      の流体で、前記最初の不織繊維ウェブを加熱して、結合した不織繊維ウェブを提供      する前記メルトブローン繊維の非晶質領域の配向を低減することと、
ｉｉ）ステップａ）の前記高分子材料のガラス転移温度（Ｔｇ）未満の温度を有す      る第２の流体で、結合した不織繊維ウェブを冷却して、冷却された結合した不織繊      維ウェブを提供する前記メルトブローン繊維の前記非晶質領域を維持することと、
を含む、
ｄ）寸法的に安定な結合した不織繊維ウェブを提供する前記冷却された結合した不織繊維ウェブを集める工程と、
を逐次的に含んでなり、
任意選択的に、前記結合した不織繊維ウェブのメルトブローン繊維が、実質的に未配向である、結合した不織繊維ウェブを製造するための方法。
【請求項２】
前記最初の不織繊維ウェブ、前記結合した不織繊維ウェブ、前記冷却された結合した不織繊維ウェブ、及び寸法的に安定な結合した不織繊維ウェブが、拘束されていない、請求項１に記載の方法。
【請求項３】
前記寸法的に安定な結合した不織繊維ウェブの収縮が、前記最初の不織繊維ウェブに比較して４パーセント未満である、請求項１に記載の方法。
【請求項４】
前記メルトブローン繊維が、少なくとも一成分である、請求項１に記載の方法。
【請求項５】
前記高分子材料が、ポリエステル、ポリアミド、環状ポリオレフィン、及びこれらの組み合わせからなる群から選択される、請求項１に記載の方法。
【請求項６】
前記高分子材料が、ポリ（エチレンテレフタレート）またはポリ（乳酸）を含む、請求項１に記載の方法。
【請求項７】
任意選択的に、前記メルトブローン繊維が、実質的な低温結晶化発熱を保有する、請求項１に記載の方法により調製された結合した不織繊維ウェブ。
【請求項８】
前記ウェブが、８０℃〜２００℃の範囲の温度で、少なくとも２時間、寸法的に安定である、請求項７に記載の結合した不織繊維ウェブ。
【請求項９】
請求項７に記載の前記結合した不織繊維ウェブを含む絶縁物品であって、そして更に短繊維を含む絶縁物品。
【請求項１０】
請求項７に記載の前記結合した不織繊維ウェブを含む成形物品。
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
少なくとも１種のシランカップリング剤と、
１種以上のフィルム形成剤と、
からなる熱硬化性樹脂を補強するのに使用する補強用繊維用の組成物であって、
前記組成物が、チョップト繊維バンドルを形成するためのインライン法で使用できることを特徴とする、補強用繊維用の組成物。
【請求項２】
前記１種以上のフィルム形成剤が、ブロックトポリウレタンフィルム形成剤、熱可塑性ポリウレタンフィルム形成剤、エポキシ樹脂フィルム形成剤、ポリオレフィン、変性ポリオレフィン、官能化ポリオレフィン、ポリ酢酸ビニル、ポリアクリレート、飽和ポリエステル樹脂フィルム形成剤、不飽和ポリエステル樹脂フィルム形成剤、ポリエーテルフィルム形成剤及びこれらの組合せから選ばれる、請求項１記載の組成物。
【請求項３】
前記１種以上のフィルム形成剤が、ブロックトイソシアネートを含む少なくとも１種のポリウレタンフィルム形成剤である、請求項２記載の組成物。
【請求項４】
ブロックトイソシアネートを含む前記ポリウレタンフィルム形成剤が、前記ポリウレタンフィルム形成剤の同時又はほぼ同時の脱ブロッキング及び硬化を可能にする温度で脱ブロッキングする、請求項３記載の組成物。
【請求項５】
ブロックトイソシアネートを含む前記ポリウレタンフィルム形成剤が、ブロックトイソシアネートを含有するポリエステル系ポリウレタンフィルム形成剤及びブロックトイソシアネートを含有するポリエーテル系ポリウレタンフィルム形成剤から選ばれる、請求項３記載の組成物。
【請求項６】
サイズ剤組成物で少なくとも部分的にコーティングした複数の個々の補強用繊維を含む補強用繊維ストランドであって、
前記サイズ剤組成物が、少なくとも１種のシランカップリング剤とブロックトイソシアネートを含むポリウレタンフィルム形成剤とからなり、
前記組成物が、チョップト繊維バンドルを形成するためのインライン法で使用できることを特徴とする、補強用繊維ストランド。
【請求項７】
ブロックトイソシアネートを含む前記ポリウレタンフィルム形成剤が、ブロックトイソシアネートを含有するポリエステル系ポリウレタンフィルム形成剤及びブロックトイソシアネートを含有するポリエーテル系ポリウレタンフィルム形成剤から選ばれる、請求項６記載の補強用繊維ストランド。
【請求項８】
ブロックトイソシアネートを含む前記ポリウレタンフィルム形成剤が、前記ポリウレタンフィルム形成剤の同時又はほぼ同時の脱ブロッキングと硬化を可能にする温度で脱ブロッキングする、請求項６記載の補強用繊維ストランド。
【請求項９】
ブロックトイソシアネートを含む前記ポリウレタンフィルム形成剤が、前記組成物中に、組成物全体の1.0〜10質量%の量で存在し；前記少なくとも１種のシランカップリング剤が、前記組成物中に、組成物全体の0.2〜1.0質量％の量で存在する、請求項６記載の補強用繊維ストランド。
【請求項１０】
強化複合物品の製造方法であって、下記の工程、
１．複数の繊細化ガラス繊維に、少なくとも１種のシランカップリング剤とブロックトイソシアネートを含む１種以上のフィルム形成剤とを含み、添加剤を含まないサイズ剤組成物を適用する工程、
２．前記複数のガラス繊維を、所定数のガラス繊維を有するガラス繊維ストランドに集結させる工程、
３．前記ガラス繊維ストランドを細断して、個別の長さを有する湿潤チョップトガラス繊維バンドル(４２)を形成させる工程、
４．前記湿潤チョップトガラス繊維バンドルを、誘電炉、流動床炉及び回転式熱トレー炉から選ばれる乾燥炉(４６)内で乾燥させて、チョップトガラス繊維バンドル(１０)を形成させる工程、
５．前記チョップト繊維バンドルを熱硬化性樹脂と混合して、チョップト繊維バンドルと熱硬化性樹脂との混合物を形成させる工程、及び、
６．チョップト繊維バンドルと熱硬化性樹脂との前記混合物を加熱モールド内に収容し、熱硬化性樹脂の硬化を行い、複合体製品を形成させる工程、
を有し、前記組成物が、チョップト繊維バンドルを形成するためのインライン法で使用できることを特徴とする方法。
【請求項１１】
前記乾燥工程が、前記湿潤チョップトガラス繊維バンドルを、流動床炉内で、148.9℃(300°F)〜260℃(500°F)の温度で乾燥させる工程を含む、請求項１０記載の方法。
【請求項１２】
ブロックトイソシアネートを含む前記１種以上のポリウレタンフィルム形成剤が、前記ポリウレタンフィルム形成剤の同時又はほぼ同時の脱ブロッキングと硬化を可能にする温度で脱ブロッキングする、請求項１０記載の方法。
【請求項１３】
強化複合物品の製造方法であって、下記の工程、
少なくとも１種のシランカップリング剤及びブロックトイソシアネートを含むポリウレタンフィルム形成剤からなるサイズ剤組成物で少なくとも部分的にコーティングしたチョップトガラスストランド(１２)を、第１ポリマーフィルム上に付着させる工程、
第２ポリマーフィルムを前記チョップトガラス繊維上に置き、サンドイッチ材料を形成させる工程、及び、
前記サンドイッチ材料を成形して強化複合物品とする工程、
を有することを特徴とする方法。
【請求項１４】
下記の工程、
前記サイズ剤組成物を、複数の繊細化ガラス繊維に適用する工程、
前記複数のガラス繊維をガラス繊維ストランドとして集結させる工程、
前記ガラス繊維ストランドを細断して、個々の長さを有する湿潤チョップトガラス繊維バンドル(４２)を形成させる工程、及び、
前記湿潤チョップトガラス繊維バンドルを、誘電炉、流動床炉及び回転式熱トレー炉から選ばれた乾燥炉(４６)内で乾燥させ、前記チョップトガラスストランド(１０)を形成させる工程、
を更に含む、請求項１３記載の方法。
【請求項１５】
前記乾燥工程が、前記湿潤チョップトガラス繊維バンドルを、流動床炉内で、148.9℃(300°F)〜260℃(500°F)の温度で乾燥させる工程を含む、請求項１４記載の方法。